(57)【要約】【課題】ハンガーロッドへの装着容易性とハンガーロッドからの脱落防止性とを共に向上させる。【解決手段】吊り下げ式薬剤容器１は、薬剤収容部２とハンガー部３とで構成されている。ハンガー部３は、薬剤収容部２の上面一端部に一体的に成形された基部９を有し、この基部９にヒンジ部１０を介してフック１１が連設されている。ヒンジ部１０は、フック１１を閉方向Ｃに付勢している。フック１１は、ヒンジ部１０を回動中心として閉方向Ｃと開方向Ｏとに回動自在で、自由端部１２を有するとともに、ハンガーロッドを受容する保持空間部１３が形成されている。フック１１のヒンジ部１０に近接する端部背面には、操作部１４が突設されている。薬剤収容部２の上面他端部にはストッパー部１６が設けられ、ストッパー部１６の先端部１７とフック１１のと自由端部１２との間には間隙１８が形成されている。【選択図】　　　　図１
2004131102.tif 000002
【特許請求の範囲】
【請求項１】
薬剤を収容する薬剤収容部と、この薬剤収容部の端部に設けられてハンガーロッドに係合する係合手段とを備える吊り下げ式薬剤容器において、
前記係合手段は、閉方向と開方向とに回動自在であって、内側に前記ハンガーロッドを受容する保持空間部を有し前記開方向への回動に伴って自由端部と該自由端部に対向する部分との間に形成される間隙を拡開させるフックと、このフックを前記閉方向に付勢する付勢手段と、この付勢手段に抗して前記フックを前記開方向へ回動操作するための操作部とを備えることを特徴とする吊り下げ式薬剤容器。
【請求項２】
前記付勢手段は、前記フックとともに合成樹脂で形成されて該フックを前記閉方向に付勢するヒンジ部であることを特徴とする請求項１記載の吊り下げ式薬剤容器。
【請求項３】
前記フックは、その基端部を回動自在に枢支され、前記付勢手段は、前記フックを前記閉方向に付勢するリターンスプリングであることを特徴とする請求項１記載の吊り下げ式薬剤容器。
【請求項４】
前記フックが相対向するように一対設けられ、各フックの自由端部間に前記間隙が形成されるとともに、前記各フックに前記操作部が設けられたことを特徴とする請求項１又は２記載の吊り下げ式薬剤容器。
【請求項５】
前記操作部が設けられた前記一対のフックが前記薬剤収容部の上端部に立設されたことを特徴とする請求項４記載の吊り下げ式薬剤容器。
【発明の詳細な説明】
【０００１】
【発明の属する技術分野】
本発明は、防虫剤、芳香剤、潮解性吸湿剤等の薬剤をハンガーロッドに吊り下げて配置するための吊り下げ式薬剤容器に関する。
【０００２】
【従来の技術】
従来の吊り下げ式薬剤容器は、薬剤を収容する薬剤収容部と、この薬剤収容部の端部に設けられて洋服ダンスやクローゼット等のハンガーロッドに係合するハンガーとを備えている。ハンガーは、合成樹脂等で形成された可撓性を有する円曲状のフックを備え、フックの内側にはハンガーロッドを受容する保持空間部が形成され、またフックの自由端部と薬剤収容部間には、前記ハンガーロッドを前記保持空間部内に挿入するための挿入間隙が形成されている（例えば、特許文献１参照。）。
【０００３】
係る構成において、この吊り下げ式薬剤容器をハンガーロッドに係止させるに際しては、前記薬剤収容部を握持し挿入間隙をハンガーロッドに宛って押圧する。すると、ハンガーの自由端部がハンガーロッドに圧接して挿入間隙が拡大する方向（半径方向）にフックが弾性変形する。そして、挿入間隙がハンガーロッドの径よりも大きく拡大した時点でハンガーロッドが保持空間部内に受容され、これに伴ってフックが元の形状に弾性復帰することにより、吊り下げ式薬剤容器がハンガーロッドに係止されることとなる。
【０００４】
【特許文献１】
特許３１８７７０３号公報
【０００５】
【発明が解決しようとする課題】
しかしながら、従来の吊り下げ式薬剤容器にあっては、前述のように薬剤収容部を握持して挿入間隙をハンガーロッドに宛って押圧し、挿入間隙が拡大する方向にフックを弾性変形させることにより、ハンガーロッドに係合させる。このとき、フックは円曲状であって半径方向に高い剛性を有することから、これを半径方向に弾性変形させるには最適な方向に相当の力で押圧しなければならず、ハンガーロッドへの装着作業が困難であるという欠点を有する。加えて、ハンガーロッドの径は統一的ではなく、異なる径のものが種々存在することから、ハンガーロッドの径が太い場合には、フックを大きく弾性変形させなければならず、装着作業は一層困難となる。
【０００６】
無論、フックを薄肉に形成する等によりその剛性を極端に低くしておけば、押圧方向が不適正であったり微力であってもフックが弾性変形し、ハンガーロッドへの装着作業の容易化を図ることができる。しかし、このようにフックの剛性を極端に低下させると、ハンガーロッドに装着後において、洋服ダンスやクローゼット等から衣服を取り出す際に、人体や近傍の洋服が吊り下げ式薬剤容器に触れた場合、フックが容易に弾性変形して吊り下げ式薬剤容器がハンガーロッドから脱落してしまう。また、ハンガーロッドの径が小さい場合には、フックの剛性が高い場合であっても、人体や近傍の洋服が吊り下げ式薬剤容器に触れた際のフックの僅かな変形により、吊り下げ式薬剤容器が脱落してしまう場合が生ずる。
【０００７】
本発明は、このような従来の課題に鑑みてなされたものであり、ハンガーロッドへの装着容易性とハンガーロッドからの脱落防止性とを共に向上させることができる吊り下げ式薬剤容器を提供することを目的とするものである。
【０００８】
【課題を解決するための手段】
前記課題を解決するために請求項１に係る発明にあっては、薬剤を収容する薬剤収容部と、この薬剤収容部の端部に設けられてハンガーロッドに係合する係合手段とを備える吊り下げ式薬剤容器において、前記係合手段は、閉方向と開方向とに回動自在であって、内側に前記ハンガーロッドを受容する保持空間部を有し前記開方向への回動に伴って自由端部と該自由端部に対向する部分との間に形成される間隙を拡開させるフックと、このフックを前記閉方向に付勢する付勢手段と、この付勢手段に抗して前記フックを前記開方向へ回動操作するための操作部とを備える。
【０００９】
したがって、ハンガーロッドへの装着に際して操作部を手指により操作すると、フックは付勢手段に抗して開方向に回動し、フックの自由端部と該自由端部に対向する部分との間に形成される間隙が拡開する。したがって、この間隙をハンガーロッドの径に応じた幅に拡開することにより、フック内側の保持空間部にハンガーロッドを相対的に挿入することができる。そして、ハンガーロッドをフック内側の保持空間部に挿入して受容させたならば、操作部から手指を離す。すると、フックは付勢手段により付勢されて閉方向に回動し、これによりハンガーロッドがフック内側の保持空間部に保持されて、吊り下げ式薬剤容器の装着が完了する。
【００１０】
よって、手指により操作部を操作し、前記間隙を拡開しつつハンガーロッドを保持空間内に挿入した後、手指を操作部から離す極めて簡単な作業により、吊り下げ式薬剤容器の装着を行うことができる。
【００１１】
また、装着後においては、フックは付勢手段により閉方向に付勢されていることから、このハンガーロッドが設けられている洋服ダンスやクローゼット等から衣服を取り出す際に、人体や近傍の洋服が吊り下げ式薬剤容器に触れても、フックが容易に弾性変形して吊り下げ式薬剤容器がハンガーロッドから脱落してしまうことが防止される。さらに、ハンガーロッドの径が小さい場合であっても、人体や近傍の洋服が吊り下げ式薬剤容器に触れた際に、吊り下げ式薬剤容器が脱落してしまうことが防止される。
【００１２】
また、請求項２に係る発明にあっては、前記付勢手段は、前記フックとともに合成樹脂で形成されて該フックを前記閉方向に付勢するヒンジ部である。したがって、ヒンジ部をフックと一体的に樹脂成形することができ、低コストでの製造が可能となる。
【００１３】
また、請求項３に係る発明にあっては、前記フックは、その基端部を回動自在に枢支され、前記付勢手段は、前記フックを前記閉方向に付勢するリターンスプリングである。したがって、リターンスプリングによる強い付勢力でフックを閉方向に付勢することができ、これにより装着後における吊り下げ式薬剤容器の脱落防止効果を高めることができる。
【００１４】
また、請求項４に係る発明にあっては、前記フックが相対向するように一対設けられ、各フックの自由端部間に前記間隙が形成されるとともに、前記各フックに前記操作部が設けられている。したがって、親指と人差し指とで各フックに設けられた操作部を挟むようにして押圧することにより、前記間隙を拡開させて容易に吊り下げ式薬剤容器をハンガーロッドに装着すことができる。
【００１５】
また、請求項５に係る発明にあっては、前記操作部が設けられたフックが前記薬剤収容部の上端部に立設されている。したがって、両フックの自由端部間の間隙は、該両フックの上端部間となることから、間隙を拡開させた後、両フックをハンガーロッドの直下から上方へ移動させることにより、高い位置に配置されているハンガーロッドをハンガーロッドをフック内側の保持空間部に容易に挿入して、挿入作業を行うことができる。
【００１６】
【発明の実施の形態】
以下、本発明の実施の形態を図に従って説明する。
【００１７】
（第１の実施の形態）
図１は、本発明の第１の実施の形態にかかる吊り下げ式薬剤容器を示すものである。この吊り下げ式薬剤容器１は、合成樹脂で成形されたものであって、薬剤を収容する薬剤収容部２と、この薬剤収容部２の上端部に設けられた係合手段としてのハンガー部３とで構成されている。薬剤収容部２は、開閉可能な表側部材４と裏側部材（図示せず）とからなる函体であって、複数の横桟５と縦桟６とで区画された通気口７が複数形成されている。薬剤収容部２内には、薬剤マット８が収容されている。この薬剤マット８は、紙、不織布、パルプ、リンター、木材、合成樹脂等の液体に対する含浸性を有する素材で形成されており、常温揮散性防虫薬剤が含浸されている。
【００１８】
前記ハンガー部３は、薬剤収容部２の上面一端部（より詳しくは、表側部材４又は裏側部材の上面一端部）に一体的に成形された基部９を有し、この基部９にヒンジ部１０を介してフック１１が連設されている。ヒンジ部１０は、フック１１よりも薄肉状で可撓性を有するとともに外側にやや膨出した形状であって、フック１１を閉方向Ｃに付勢している。
【００１９】
フック１１は鉤形であって、ヒンジ部１０を回動中心として閉方向Ｃと開方向Ｏとに回動自在である。このフック１１は、自由端部１２を有するとともに、内側には洋服ダンスやクローゼット等に設けられているハンガーロッドを受容する保持空間部１３が形成されている。
【００２０】
前記フック１１のヒンジ部１０に近接する端部背面には、操作部１４がフック１１の回動方向であってやや斜め上方に突設されている。この操作部１４の上面には、斜状の押圧面１５が形成されている。
【００２１】
一方、薬剤収容部２の上面他端部（より詳しくは、フック部１１が設けられた表側部材４又は裏側部材の上面他端部）には、ストッパー部１６が設けられている。このストッパー部１６はその先端部１７が、フック１１の自由端部１２の下面に近接する方向に突設されており、前記先端部１７と自由端部１２との間には微小な間隙１８が形成されている。
【００２２】
以上の構成に係る本実施の形態において、ハンガーロッドへの装着に際しては、薬剤収容部２を一方の手で持ち、他方の手の指で操作部１４の押圧面１５を押圧する。すると、フック１１はヒンジ部１０に抗して開方向Ｏに回動し、フック１１の自由端部１２と該自由端部１２に対向するストッパー部１６の先端部１７間の間隙１８が拡開する。したがって、この間隙１８をハンガーロッドの径に応じた幅に拡開することにより、フック１１内側の保持空間部１３にハンガーロッドを相対的に挿入することができる。
【００２３】
そして、ハンガーロッドをフック１１内側の保持空間部１３に挿入して受容させたならば、操作部１４から手指を離す。すると、フック１１はヒンジ部１０により付勢されて閉方向Ｃに回動し、これによりハンガーロッドがフック１１内側の保持空間部１３に保持されて、吊り下げ式薬剤容器１の装着が完了する。よって、手指により操作部１４を押圧操作し、前記間隙１８を拡開しつつハンガーロッドを保持空間内に挿入した後、手指を操作部１４から離す極めて簡単な作業により、吊り下げ式薬剤容器１の装着を行うことができる。
【００２４】
また、装着後においては、フック１１はヒンジ部１０により閉方向Ｃに付勢されていることから、ハンガーロッドが設けられている洋服ダンスやクローゼット等から衣服を取り出す際に、人体や近傍の洋服が吊り下げ式薬剤容器１に触れても、フック１１が容易に弾性変形して吊り下げ式薬剤容器１がハンガーロッドから脱落してしまうことが防止される。さらに、ハンガーロッドの径が小さい場合であっても、人体や近傍の洋服が吊り下げ式薬剤容器１に触れた際に、吊り下げ式薬剤容器１が脱落してしまうことが防止される。
【００２５】
よって、ハンガーロッドへの装着容易性とハンガーロッドからの脱落防止性とを共に向上させることができる。しかも、本実施の形態においては、ヒンジ部１０は、フック１１等とともに薬剤収容部２と一体的に合成樹脂で形成いることから、低コストでの製造が可能となる。
【００２６】
（第２の実施の形態）
図２は、本発明の第２の実施の形態にかかる吊り下げ式薬剤容器を示すものであり、この吊り下げ式薬剤容器２０は、ハンガー部２１のみが前記実施の形態とは異なる。すなわち、この実施の形態において、ハンガー部２１は、薬剤収容部２の上面一端部（より詳しくは、表側部材４又は裏側部材の上面一端部）に一体的に成形された基部２２を有している。
【００２７】
一方、フック２３は鉤形であって薬剤収容部２とは別体に形成され、基端部をピン２５により基部２２に枢支されている。したがって、フック２３はピン２５を回動中心として閉方向Ｃと開方向Ｏとに回動自在であり、自由端部１２を有するとともに、内側には保持空間部１３が形成されている。
【００２８】
前記フック２３の基端部背面には、操作部１４がフック２３の回動方向であってやや斜め上方に突設されている。この操作部１４の上面には、斜状の押圧面１５が形成されている。前記ピン２５の周部には、一端部を薬剤収容部２の上面に止着されるとともに他端部をフック２３の背面に止着されて、円形に屈曲された板ばねからなるリターンスプリング２６が配置されており、このリターンスプリング２６は、フック２３を閉方向Ｃに付勢している。
【００２９】
また、薬剤収容部２の上面他端部（より詳しくは、フック部１１が設けられた表側部材４又は裏側部材の上面他端部）には、ストッパー部１６が設けられている。このストッパー部１６はその先端部１７が、フック２３の自由端部１２の下面に近接する方向に突設されており、前記先端部１７と自由端部１２との間の間隙１８は通常時（非操作時）は閉じている。
【００３０】
なお、薬剤収容部２の構成は前述した実施の形態と同様であるので、同一符号を付して説明を省略する。
【００３１】
以上の構成に係る本実施の形態において、ハンガーロッドへの装着に際しては、薬剤収容部２を一方の手で持ち、他方の手の指で操作部１４の押圧面１５を押圧する。すると、リターンスプリング２６が楕円形に変形し、フック２３はリターンスプリング２６に抗して開方向Ｏに回動して、フック２３の自由端部１２と該自由端部１２に対向するストッパー部１６の先端部１７間の間隙１８が拡開する。したがって、この間隙１８をハンガーロッドの径に応じた幅に拡開することにより、フック２３内側の保持空間部１３にハンガーロッドを相対的に挿入することができる。
【００３２】
そして、ハンガーロッドをフック２３内側の保持空間部１３に挿入して受容させたならば、操作部１４から手指を離す。すると、フック２３はリターンスプリング２６により付勢されて閉方向Ｃに回動し、これによりハンガーロッドがフック２３内側の保持空間部１３に保持されて、吊り下げ式薬剤容器２０の装着が完了する。よって、手指により操作部１４を押圧操作し、前記間隙１８を拡開しつつハンガーロッドを保持空間内に挿入した後、手指を操作部１４から離す極めて簡単な作業により、吊り下げ式薬剤容器２０の装着を行うことができる。
【００３３】
また、装着後においては、フック２３はリターンスプリング２６により閉方向Ｃに付勢されており、しかも、フック２３の自由端部１２がストッパー部１６の先端部１７に圧接していることから、ハンガーロッドが設けられている洋服ダンスやクローゼット等から衣服を取り出す際に、人体や近傍の洋服が吊り下げ式薬剤容器２０に触れても、フック２３が容易に弾性変形して吊り下げ式薬剤容器２０がハンガーロッドから脱落してしまうことが防止される。さらに、ハンガーロッドの径が小さい場合であっても、人体や近傍の洋服が吊り下げ式薬剤容器２０に触れた際に、吊り下げ式薬剤容器２０が脱落してしまうことが防止される。
【００３４】
よって、ハンガーロッドへの装着容易性とハンガーロッドからの脱落防止性とを共に向上させることができる。しかも、本実施の形態においては、リターンスプリングによる強い付勢力でフック２３を閉方向Ｃに付勢することができ、これにより装着後における吊り下げ式薬剤容器２０の脱落防止効果を高めることもできる。
【００３５】
（第３の実施の形態）
図３は、本発明の第３の実施の形態にかかる吊り下げ式薬剤容器を示すものであり、この吊り下げ式薬剤容器３０は、薬剤収容部２と、この薬剤収容部２の上端部に設けられたハンガー部３１とで構成されているが、薬剤収容部２は前記実施の形態と同一の構成であるので図示を省略する。この実施の形態において、ハンガー部３１は、薬剤収容部２の上面中央部（より詳しくは、表側部材４又は裏側部材の上面中央部）に一体的に成形された基部３２を有している。
【００３６】
この基部３２の上端部には、各々ヒンジ部３３、３３を介して左右一対のフック３４、３４が立設されている。ヒンジ部３３、３３は、フック３４、３４よりも薄肉状で可撓性を有するとともに、フック３４、３４を閉方向Ｃに付勢している。フック３４、３４は略半円形であるとともに対象形状であって、ヒンジ部３３、３３を回動中心として閉方向Ｃと開方向Ｏとに回動自在である。このフック３４、３４は、自由端部１２、１２を有するとともに、内側には洋服ダンスやクローゼット等に設けられているハンガーロッドを受容する保持空間部１３が形成されている。また、両フック３４、３４の自由端部１２、１２は対向しており、この自由端部１２、１２間に間隙１８が形成されている。
【００３７】
前記フック３４、３４のヒンジ部３３、３３に近接する端部背面には、各々操作部１４がフック３４、３４の回動方向であってやや斜め下方に突設されている。この操作部１４の上面には、湾曲状の押圧面１５が形成されている。
【００３８】
以上の構成に係る本実施の形態において、ハンガーロッドへの装着に際しては、例えば親指と人差し指とで各フック３４、３４に設けられた操作部１４、１４を挟むようにして押圧面１５を押圧する。すると、両フック３４、３４はヒンジ部３３、３３に抗して開方向Ｏに回動し、フック３４、３４の自由端部１２、１２間の間隙１８が拡開する。したがって、この間隙１８をハンガーロッドの径に応じた幅に拡開することにより、フック３４、３４内側の保持空間部１３にハンガーロッドを相対的に挿入することができる。
【００３９】
そして、ハンガーロッドをフック３４、３４内側の保持空間部１３に挿入して受容させたならば、操作部１４から手指を離す。すると、両フック３４、３４はヒンジ部３３、３３により付勢されて閉方向Ｃに回動し、これによりハンガーロッドがフック３４、３４内側の保持空間部１３に保持されて、吊り下げ式薬剤容器３０の装着が完了する。よって、手指により操作部１４を押圧操作し、前記間隙１８を拡開しつつハンガーロッドを保持空間内に挿入した後、手指を操作部１４から離す極めて簡単な作業により、吊り下げ式薬剤容器３０の装着を行うことができる。
【００４０】
また、装着後においては、フック３４、３４はヒンジ部３３、３３により閉方向Ｃに付勢されていることから、ハンガーロッドが設けられている洋服ダンスやクローゼット等から衣服を取り出す際に、人体や近傍の洋服が吊り下げ式薬剤容器３０に触れても、フック３４、３４が容易に弾性変形して吊り下げ式薬剤容器３０がハンガーロッドから脱落してしまうことが防止される。さらに、ハンガーロッドの径が小さい場合であっても、人体や近傍の洋服が吊り下げ式薬剤容器３０に触れた際に、吊り下げ式薬剤容器３０が脱落してしまうことが防止される。
【００４１】
よって、ハンガーロッドへの装着容易性とハンガーロッドからの脱落防止性とを共に向上させることができる。しかも、本実施の形態においては、操作部１４が設けられたフック３４、３４は対象形状であってが基部３２の上端部に立設されている。したがって、両フック３４、３４の自由端部１２、１２間の間隙１８は、該両フック３４、３４の上端部間となることから、間隙１８を拡開させた後、両フック３４、３４をハンガーロッドの直下から上方へ移動させることにより、高い位置に配置されているハンガーロッドをハンガーロッドをフック３４、３４内側の保持空間部１３に容易に挿入して、挿入作業を行うことができる。
【００４２】
なお、間隙１８は通常時は閉じていて操作時のみ拡開ものであってもよいし、通常は開いていて操作時に更に拡開するものであってもよい。また、フックの形状及び薬剤収容部の形状は実施の形態に示したものに限定されるものではない。さらに、薬剤収容部に収容配置される薬剤も実施の形態に示したものに限定されるものではなく、適宜の薬剤を収容するに用いることできる。
【００４３】
【発明の効果】
以上説明したように本発明によれば、ハンガーロッドへの装着に際して操作部を手指により操作することにより、フックを付勢手段に抗して開方向に回動して、フックの自由端部と該自由端部に対向する部分との間に形成される間隙を拡開させることができる。したがって、この間隙をハンガーロッドの径に応じた幅に拡開することにより、フック内側の保持空間部にハンガーロッドを相対的に挿入することができ、しかる後に操作部から手指を離すことによって、ハンガーロッドがフック内側の保持空間部に保持させて、吊り下げ式薬剤容器の装着が完了することができる。よって、手指により操作部を操作し、前記間隙を拡開しつつハンガーロッドを保持空間内に挿入した後、手指を操作部から離す極めて簡単な作業により、吊り下げ式薬剤容器の装着を行うことができる。
【００４４】
また、装着後においては、フックは付勢手段により閉方向に付勢されていることから、このハンガーロッドが設けられている洋服ダンスやクローゼット等から衣服を取り出す際に、人体や近傍の洋服が吊り下げ式薬剤容器に触れても、フックが容易に弾性変形して吊り下げ式薬剤容器がハンガーロッドから脱落してしまうことを防止することができ、さらにはハンガーロッドの径が小さい場合であっても、人体や近傍の洋服が吊り下げ式薬剤容器に触れた際に、吊り下げ式薬剤容器が脱落してしまうことを防止することができる。よって、ハンガーロッドへの装着容易性とハンガーロッドからの脱落防止性とを共に向上させることができる。
【図面の簡単な説明】
【図１】本発明の第１の実施の形態を示す正面図である。
【図２】本発明の第２の実施の形態を示す正面図である。
【図３】本発明の第３の実施の形態を示す要部正面図である。
【符号の説明】
１　　吊り下げ式薬剤容器
２　　薬剤収容部
３　　ハンガー部
１０　　ヒンジ部
１１　　フック
１２　　自由端部
１３　　保持空間部
１４　　操作部
１６　　ストッパー部
１７　　先端部
１８　　間隙
２０　　吊り下げ式薬剤容器
２１　　ハンガー部
２３　　フック
２５　　ピン
２６　　リターンスプリング
３０　　吊り下げ式薬剤容器
３１　　ハンガー部
３３　　ヒンジ部
３４　　フック
Ｃ　　閉方向
Ｏ　　開方向
【図１】
2004131102.tif 000003
【図２】
2004131102.tif 000004
【図３】
2004131102.tif 000005